(57)【要約】【課題】カメラ用制御回路基板において端面に形成されたスルーホールの導体パタンの剥離を抑制する。【解決手段】カメラ用制御回路基板０は、配線用の導体パタンが形成された配線基材４と、配線基材４に組み付けられ被写体までの距離を測定する光学測距部品１と、配線基材４に組み付けられ且つ導体パタンを介して相互に接続されカメラ各部の制御を行う回路部品４１，４２とからなる。配線基材４は、端面部４３とこれに連続する平面部４４とを有する。端面部４３にはスルーホール４５が形成され、その周壁に沿って半田付け用の第一導体パタンが付着している。平面部４４には、第一導体パタンに連続するランド４７を構成する第二導体パタンが形成されている。ランド４７の幅寸法はこれと接するスルーホール４５の径寸法より大きい。スルーホール４５の中心は、端面部４３の外形線よりも内側に入り込んでいる。【選択図】      図１
2004253664.tif 000002
【特許請求の範囲】
【請求項１】
配線用の導体パタンが形成された配線基材と、該配線基材に組み付けられカメラの被写体までの距離を光学的に測定する光学測距部品と、同じく該配線基材に組み付けられ且つ該導体パタンを介して相互に接続されカメラ各部の制御を行う回路部品とからなるカメラ用制御回路基板において、
前記配線基材は、端面部とこれに連続する平面部とを有し、
前記端面部にはスルーホールが形成され、その周壁に沿って半田付け用の第一導体パタンが付着しており、
前記平面部には、該第一導体パタンに連続するランドを構成する第二導体パタンが形成されており、
前記ランドの幅寸法はこれと接するスルーホールの径寸法より大きく、
前記スルーホールの中心は、該端面部の外形線よりも内側に入り込んでいることを特徴とするカメラ用制御回路基板。
【発明の詳細な説明】
【０００１】
【発明の属する技術分野】
本発明はカメラ用制御回路基板に関する。より詳しくは、カメラ用制御回路基板の端面部に形成されたスルーホール周りの改善技術に関する。
【０００２】
【従来の技術】
従来のカメラ用制御回路基板は、配線基材と、光学測距部品と、回路部品とで構成されている。配線基材は、プリント配線基板などからなり、配線用の導体パタンが形成されている。光学測距部品は、配線基材に組み付けられカメラの被写体までの距離を光学的に測定する。回路部品も同じく配線基材に組み付けられ、且つ導体パタンを介して相互に接続されカメラ各部の制御を行う。
【０００３】
【特許文献１】特開平１０−１２６０２４号公報
【０００４】
【発明が解決しようとする課題】
プリント配線基板などからなる配線基材は、端面部とこれに連続する平面部とを有する。端面部にはスルーホールが形成され、その周壁に沿って半田付け用の第一導体パタンが付着している。平面部には、第一導体パタンに連続するランド状の第二導体パタンが形成されている。この様にして配線基材の端面部に形成されたスルーホールは、カメラ用制御回路基板と他のカメラ用構成部品を電気的に接続する際に用いられる。具体的にはリード線を介してカメラ用制御回路基板と他の基板を接続するが、リード線の一端がこの配線基材端面部に設けたスルーホールに対して半田付けされる。すなわち、端面部のスルーホールはリード線の半田付け用に形成されている。
【０００５】
しかしながら、従来スルーホールを基板端面に形成すると、スルーホールの周壁に付着すべき導体パタンが容易に剥離するという問題があった。基板端面のスルーホールでリード線を半田付けし別基板と電気接続を取る場合、スルーホールの導体パタンが剥離していると、半田付けの作業性が悪くなる。又、スルーホールに付着した第一導体パタンとこれに連続するランドの第二導体パタンとの間の接続部が少なくなる為、流せる電流量が少なくなってしまうという課題がある。
【０００６】
【課題を解決するための手段】
上述した従来の技術の課題に鑑み、本発明はカメラ用制御回路基板において端面に形成されたスルーホールの導体パタンの剥離を抑制することを目的とする。係る目的を達成するために以下の手段を講じた。即ち、配線用の導体パタンが形成された配線基材と、該配線基材に組み付けられカメラの被写体までの距離を光学的に測定する光学測距部品と、同じく該配線基材に組み付けられ且つ該導体パタンを介して相互に接続されカメラ各部の制御を行う回路部品とからなるカメラ用制御回路基板において、前記配線基材は、端面部とこれに連続する平面部とを有し、前記端面部にはスルーホールが形成され、その周壁に沿って半田付け用の第一導体パタンが付着しており、前記平面部には、該第一導体パタンに連続するランドを構成する第二導体パタンが形成されており、前記ランドの幅寸法はこれと接するスルーホールの径寸法より大きく、前記スルーホールの中心は、該端面部の外形線よりも内側に入り込んでいることを特徴とする。
【０００７】
本発明によれば、ランド部の幅寸法を、これと接するスルーホールの径寸法よりも大きく設定している。又、スルーホールの中心が、端面部の外形線よりも内側に入り込む様に設定している。この様に、ランドパタン幅を広げ且つスルーホールの中心を基板外形より内側に入れることで、スルーホールの周壁に形成された第一導体パタンがランドに形成された第二導体パタンと密接につながる様になり、スルーホールの導体パタン剥離を軽減している。
【０００８】
【発明の実施の形態】
以下図面を参照して本発明の実施の形態を詳細に説明する。図１は、本発明に係るカメラ用制御回路基板の実施形態を示す模式的な斜視図である。図示する様に、本カメラ用制御回路基板は基本的な構成として、プリント配線基板などからなる配線基材４と、光学測距部品１と、回路部品４１，４２などで組み立てられている。配線基材４は配線用の導体パタンが形成されている。光学測距部品１は、配線基材４に組み付けられ、光軸方向に位置するカメラの被写体までの距離を光学的に測定する。回路部品はマイクロコンピュータチップ４１などを含み、配線基材４に組み付けられ且つ導体パタンを介して相互に接続されカメラ各部の制御を行う。回路部品としては上述したマイクロコンピュータチップ４１の他コンデンサ４２やその他のチップ部品（図示せず）を含む。
【０００９】
配線基材４は、端面部４３とこれに連続する平面部４４とを有する。端面部４３は配線基材４を所定の形状に切り出した切断面となっている。換言すると、端面部４３をつなぐ外形線は、配線基材４の切断線となっている。端面部４３にはスルーホール４５が形成され、その周壁に沿って半田付け用の第一導体パタンが付着している。平面部４４に形成される通常のスルーホールと異なり、端面部４３に形成されるスルーホール４５は切断線上にある為、その周壁は半円筒型である。端面部４３に形成された半円筒型のスルーホール４５は、外部リード線との半田付け用に設けられる。一方、平面部４４にはスルーホール４５に隣接するランド４７が形成されている。ランド４７は第二導体パタンで構成されており、スルーホール４５の周壁に付着した第一導体パタンに連続している。本発明の特徴事項として、ランド４７の幅寸法はこれと接するスルーホール４５の径寸法より大きい。同時に、スルーホール４５の中心は、端面部４３の外形線（切断線）よりも内側に入り込んでいる。この様にランドのパタン幅を広げるとともにスルーホールの中心を基板外形より内側に入れることで、ランド側の第二導体パタンとスルーホール側の第一導体パタンとが密接につながる様になり、第一導体パタンの剥離を軽減できる。
【００１０】
尚本実施形態では、光学測距部品１は投光部２と受光部３とこれらを保持する保持枠６とで構成されている。保持枠６は略コの字状の樹脂成形品からなり、投光部２を保持する左側部分と、受光部３を保持する右側部分と、両者を連結する中央部分とで構成されている。中央部分は窪んでおり、カメラ本体に組み込んだ時ファインダが位置する様にあらかじめ空間を空けてある。投光部２はレンズ（図示せず）と基板２６とで構成されている。レンズ及び基板２６は共に保持枠６に取り付けられている。レンズは光軸方向に光束を集束する。基板２６は光束を放射する発光素子（図示せず）を搭載し且つ前述のレンズに対向して保持枠６に取り付けられている。受光部３も基本的に投光部２と同様の構成を有しており、レンズ（図示せず）と基板３６とで構成されている。レンズと基板３６は共に保持枠６に取り付けられている。レンズは対象物から戻って来る光束を集光する。基板３６は、光束を受光する受光素子（図示せず）を搭載し且つ前述したレンズに対向して保持枠６に取り付けられている。尚場合によっては、光学測距部品１の保持枠６は、投光部２に隣接してストロボ用のフラッシュランプを内蔵していることもある。
【００１１】
図２は、図１に示したカメラ用制御回路基板を組み込んだカメラの例を表わしている。カメラ１０はボディ８と撮影用のレンズ鏡筒９を備えている。ボディ８の前面側に、一対の投光部２及び受光部３が取り付けられている。これらの投光部２及び受光部３を含む光学測距部品を搭載した制御回路基板０は、カメラ１０の内部に組み込まれている。図示の例では、ボディ８の天井部に制御回路基板０が取り付けられている。この様にしてカメラ１０に組み込まれた小型の光学測距部品は、被写体距離を自動的に測定して、自動焦点調節などに使われる。尚、本実施形態では、投光部２と受光部３との間にファインダ７が配置している。又、投光部２と隣接してフラッシュランプ１１が取り付けられている。
【００１２】
図３の（Ａ）は、図１に示したカメラ用制御回路基板の要部を示す部分平面図である。（Ｂ）は、同じく要部斜視図である。図示する様に、配線基材４の端面部４３にはスルーホール４５が形成されている。図示の例では、３つのスルーホール４５が並んでいる。これらのスルーホール４５は何れも配線基材４の外形線（切断線）上にある為、通常のスルーホールと異なり半円筒状の周壁を有している。（Ｂ）に示す様に、このスルーホール４５の半円筒周壁には、第一導体パタン４６が電解メッキなどによりあらかじめ付着されている。一方、配線基材４の端面部４３に連続する平面部４４には各スルーホール４５に対応してランド４７が形成されている。このランド４７は第二導体パタン４８からなる。（Ｂ）に示す様に、第二導体パタン４８は第一導体パタン４６に連続している。（Ａ）に示す様に、本発明の特徴事項として、ランド４７の幅寸法は、これと接するスルーホール４５の径寸法より大きい。理解を容易にする為、スルーホール４５の径寸法とほぼ同じ幅寸法を有するレジストパタン４９も同時に記載してある。更に、スルーホール４５の中心は、端面部４３の外形線よりも内側に入り込んでいる。これにより（Ｂ）に示す様に、第一導体パタン４６と第二導体パタン４８の接続箇所が拡大し、第一導体パタン４６の剥離を軽減している。
【００１３】
図４は、図３に示した配線基材の切断加工前におけるパタンを模式的に表わしている。切断前、各スルーホール４５は円形となっている。又、各ランドパタン４７は端面部４３に沿った切断線よりも外側に延設されている。従って、切断加工前は、スルーホール４５の全周をほぼ囲む様にランド４７が形成されている。その際、各スルーホール４５の中心Ｃを結ぶ中心線ＨＬは、端面部４３に沿った外形線（切断線）よりも内側に位置している。これにより、切断後スルーホール４５の残された周壁が配線基材４の内側に入り込む形となり、ランド４７側の第二導体パタンと、スルーホール４５側の第一導体パタンとの接続が密接になる。本実施形態では、スルーホール４５の直径は１ｍｍである。又、ランド４７の幅寸法は１．５ｍｍである。更に中心線ＨＬは端面部４３に沿った外形線よりも内側に０．０５ｍｍ入り込んでいる。尚、レジストパタン４９の幅寸法はスルーホール４５と同じく１ｍｍである。但しこれらの数字は一例に過ぎず、本発明の技術的範囲を限定するものではない。
【００１４】
図５は、カメラ用制御回路基板の参考例を示す模式的な平面図である。理解を容易にする為、図３に示した本発明に係るカメラ用制御回路基板と対応する部分には対応する参照番号を付してある。図示する様にこの参考例では、ランド４７の幅寸法がスルーホール４５の径寸法と同一に設定されている。本発明に比べ、ランドの幅寸法が狭い為、その分ランド側の第二導体パタンとスルーホール側の第一導体パタンとの接続箇所が少なく、剥離の起こり易い構造となっている。
【００１５】
図６は、図５に示した参考例の切断前に係るパタン形状を表わす模式的な平面図である。理解を容易にする為、図４に示した本発明のパタンと対応する部分には対応する参照番号を付してある。図示する様に、各スルーホール４５の中心Ｃを結ぶ中心線ＨＬは端面部４３に沿った外形線（切断線）と一致している。換言すると、参考例ではスルーホール４５の中心Ｃが基板の切断線よりも内側には入り込んでいない。従って、ランド４７側の第二導体パタンとスルーホール４５側の第一導体パタンとは、本発明に比べ接続部位が少なくなっている。その分剥離の起き易い構造である。
【００１６】
【発明の効果】
以上説明した様に、本発明によれば、カメラ用制御回路基板において、ランドの幅寸法はこれと接するスルーホールの径寸法より大きく、スルーホールの中心は基板端面部の外形線よりも内側に入り込んでいる。係る構成により、導体パタンの剥離を軽減している。スルーホールにおける導体パタンの剥離を抑制した為、基板端面のスルーホールでリード線を半田付けし別基板と接続する際に、半田付けの作業性が向上する。又、ランドとスルーホールの接続部位に流れる電流の減少を防ぐことができる。
【図面の簡単な説明】
【図１】本発明に係るカメラ用制御回路基板の実施形態を示す模式的な斜視図である。
【図２】図１に示したカメラ用制御回路基板を組み込んだカメラの一例を示す模式的な斜視図である。
【図３】本発明に係るカメラ用制御回路基板の要部平面図及び要部断面図である。
【図４】本発明に係るカメラ用制御回路基板の切断加工前の形状を示す模式的な部分平面図である。
【図５】参考例に係るカメラ用制御回路基板の部分平面図である。
【図６】参考例に係るカメラ用制御回路基板の切断加工前における形状を示した模式的な部分平面図である。
【符号の説明】
０・・・カメラ用制御回路基板、１・・・光学測距部品、２・・・投光部、３・・・受光部、４・・・配線基材、６・・・保持枠、４１・・・回路部品、４２・・・回路部品、４３・・・端面部、４４・・・平面部、４５・・・スルーホール、４６・・・第一導体パタン、４７・・・ランド、４８・・・第二導体パタン
【図１】
2004253664.tif 000003
【図２】
2004253664.tif 000004
【図３】
2004253664.tif 000005
【図４】
2004253664.tif 000006
【図５】
2004253664.tif 000007
【図６】
2004253664.tif 000008